(57)【要約】      （修正有）【課題】エコー付加機能を有し、且つ、エコーによって生じるハウリングの発生を抑え得る音声信号増幅装置において、エコー付加機能の構成が簡単であって、装置の製造及び調整を簡便に行う。【解決手段】マイクロホン３からの入力音声に係る電気信号の実質的なレベルをレベル検出器１０によって検出させ、その検出の値が予め設定した値より大きい場合にはスピーカ１７からの音声がマイクロホン３に帰還して増幅されていると見なし、制御手段１１が、連続的に同じ音声がマイクロホン３に拾われることを避けるようにミュート手段５で電気信号の流れを遮断して遅延回路７からミキサ手段１４への遅延信号の出力を停止させるように制御するように構成した。【選択図】図１
2007194985.tif 000002
【特許請求の範囲】
【請求項１】
音声を入力して電気信号に変換して出力するマイクロホンと、そのマイクロホンの後段の側に接続されてマイクロホンからの電気信号を入力し、エコーを作るために時間的に遅延させた電気信号を生成して出力する遅延手段と、その遅延手段からの電気信号と前記マイクロホンからの電気信号の加算加工を行うミキサ手段と、前記マイクロホンと前記遅延手段の間又は前記遅延手段と前記ミキサ手段の間に介在され、前記マイクロホンの側から入力されて来る電気信号を遮断するミュート手段と、前記ミキサ手段の後段に接続され、そのミキサ手段からの電気信号を所望のレベルに増幅する増幅手段と、その増幅手段の後段に接続され、その増幅手段からの電気信号を音声に変換して出力するスピーカが備えられ、
加えて、上記マイクロホンの後段に接続され、そのマイクロホンからの電気信号のレベルを検出するレベル検出器と、そのレベル検出器の後段に接続され、そのレベル検出器の検出結果が予め設定した値より大きい場合には、上記ミュート手段に、上記遅延手段から上記ミキサ手段への電気信号の出力を遮断させるように制御を行う制御手段が備えられてなる音声信号増幅装置。
【請求項２】
マイクロホンからの電気信号のレベルをレベル検出器によって検出してその検出結果と比較判別してミュート手段への制御を決める予め設定した値の最大が、スピーカからの帰還の音声を含まない状態において、マイクロホンが音声を入力して電気信号に変換して出力する際の電気信号に対応するレベルの１０２％である請求項１に記載の音声信号増幅装置。
【請求項３】
制御手段の機能によってミュート手段が遅延手段への電気信号の出力を遮断させた後に、マイクロホンからレベル検出器への電気信号のレベルの検出結果が予め設定したレベルよりも小さくなった場合には、ミュート手段に遅延手段への電気信号の出力の遮断を解除させるように制御手段が制御を行うように構成されてなる請求項１又は請求項２に記載の音声信号増幅装置。
【発明の詳細な説明】
【技術分野】
【０００１】
歌唱者が、記録媒体に基づいたバック演奏或いは電話回線を介しての音声信号に基づいたバック演奏に合わせて歌唱を行い、その歌唱の音声をマイクロホンで拾って電気信号に変換し、その電気信号を増幅してスピーカから拡声の音声で出力を行う、所謂、カラオケ演奏歌唱が知られている。
このカラオケ演奏歌唱において、歌唱者からの歌唱音声等がマイクロホンで拾われ、増幅されてスピーカから出力され。このスピーカから出力された歌唱音声等が、続いて、前述のマイクロホンに拾われて再増幅されて出力されることが繰り返される場合が生じる。  斯かる場合では、歌唱者等にとって望まない音声がより一層増幅されて連続的に出力され、所謂ハウリングが生じることになる。
【０００２】
他方、歌唱者の歌声音声をマイクロホンで拾って単に増幅してスピーカから出力するのではなく、歌唱者が発した元の音声（歌声）に対して同じ音声を時間的に僅かに遅延させたものを加えて加算加工した後に増幅して出力することによって、出力される音声が恰も反響して得られたような音声に加工される、つまり、所謂エコーが掛かった音声の出力というものも広く知られている。
この発明は、入力された音声に時間的に僅かに遅延させた音声を加算加工し、この加算加工によってエコーが掛かった音声信号を増幅して出力する音声信号増幅装置に関する。特に、斯かる構成の音声信号増幅装置において出力される音声にハウリング現象が生じる際に、そのハウリングが生じる状態を停止させるための改良に関する。
【背景技術】
【０００３】
上述したように、マイクロホンから入力される歌唱者の音声にエコーが加算されるカラオケ演奏歌唱等において、増幅してスピーカから出力された元の音声が再びマイクロホンで拾われ、更により一層増幅されて出力されることによってハウリングの現象が生じる場合が知られている。
ハウリングは、歌唱者、その場に居合わせた者等にとって不愉快な音声である。これに対して、そのハウリングの現象を停止させる技術として、以下の文献が知られている。
【０００４】
【特許文献１】特開２００２−２１５１７９号公報
【発明の開示】
【発明が解決しようとする課題】
【０００５】
特開２００２−２１５１７９号公報で開示されているエコー信号発生装置（以下、「先行技術発明」と称する）は、マイクアンプ２からの音声に係る電気信号がミキサー６に流れ込む系、及び、マイクアンプ２からリバーブアンプ３及びディレイアンプ４を介しエコー量調節ミキサー５で合流してミキサー６に流れ込む系を備えて構成されている。
先行技術発明は斯かる構成であることにより、ミキサー６以降ではマイクアンプ２からの電気信号に対して時間遅れの信号が追随し、エコーが掛かった音声に係る電気信号が出力端子で得られる構成になっている。
【０００６】
又、先行技術発明は、リバーブアンプ３及びディレイアンプ４の後段にエコー量調節ミキサー５が接続され、そのエコー量調節ミキサー５はエコー量が増大するように調節すると、リバーブエコー信号が一旦上昇した後に下降する特性を有し、ディレイエコー信号は除々に上昇する特性を有するように構成されている。
この構成により、エコー量が少ないときはリバーブエコー信号が中心になり、エコー量が多くなるとディレイエコー信号が中心となるので、使用者の好みに応じたエコー信号の選択が可能であり、更に、エコー量を過剰に設定する必要がないことからハウリングの発生を避け得る構成になっている。
【０００７】
先行技術発明は、特許請求の範囲、発明の詳細な説明及び図面から明らかなように、マイクロフォン１で拾った音声を単に増幅して出力するのではなく、エコーを付加して出力させることを目的として、リバーブアンプ３及びディレイアンプ４を備えた構成になっている。
従って、先行技術発明は、エコーを付加させるための２つの手段を備えており、その分構成が複雑になっている。
【０００８】
そして、先行技術発明は、斯かる２つのエコーの付加手段を備えた構成の下で、発明が解決しようとする課題の記述から明らかに、ハウリングが起こり難くなることを目的としてなされたものである。
先行技術発明は、斯かる目的に対して、上述したように、エコー量調節ミキサー５を機能させることによってハウリングが起こり難いように構成されている。
【０００９】
他方、先行技術発明には、リバーブアンプ３、ディレイアンプ４及びエコー量調節ミキサー５を自動的に制御するための手段は開示されていない。従って、先行技術発明では、エコー量調節ミキサー５を調節設定することによって、リバーブアンプ３とディレイアンプ４の機能が決定されていると受け取れるのが相当と考える。
よって、斯かる構成でハウリングが生じ難くさせるには、少なくともリバーブアンプ３及びディレイアンプ４、又は、エコー量調節ミキサー５のいずれか一方の調節を行う必要があり、その分取り扱いが煩雑になっているという問題が生じる。
他方、エコーを付加する手段としてリバーブアンプ３又はディレイアンプ４のいずれか一方のみを備えた簡便な構成も考えられる。
しかし、斯かる構成ではハウリングのキャンセルに対応できないという問題が生じることになり、先行技術発明の当初の目的に対応できないということになる。
【００１０】
この発明は、上記の事情に鑑みてなされたものであって、マイクロホンに入力されて来る音声を電気信号に変換して増幅して再び音声にして出力し、その増幅して出力する音声にエコーを付加させてスピーカから出力させる音声信号増幅装置において、スピーカからの音声をマイクロホンが拾って再び増幅して出力することでハウリングが生じることに対して、その構成が簡単で且つ調整等が不要で取り扱いが簡便であることを目的とする。
【課題を解決するための手段】
【００１１】
この発明の発明者は、エコー付加機能を有する音声信号増幅装置において、スピーカからの音声が反射等によってマイクロホンで拾われて再び増幅して音声として出力され、このことの連続によってハウリングが生じることに対し、スピーカからの音声にエコーを付加している分だけスピーカから同じ音声が出力され、その同じ音声の出力の回数に対応してマイクロホンが同じ音声を拾う可能性が高いことに着目することで、発明を完成するに到った。
つまり、この発明は、スピーカから出力された音声が同一装置のマイクロホンに再び拾われて電気信号に変換され、その電気信号が再び増幅された際に、その増幅されて得られる電気信号にハウリングの成分が含まれているか否かをその電気信号のレベルで検出し、ハウリングの成分が含まれていると判断した場合にはエコーを付加するための電気信号の系をＯＦＦとするように構成した音声信号増幅装置である。
【００１２】
その詳細な構成は、音声を入力して電気信号に変換して出力するマイクロホンと、そのマイクロホンの後段の側に接続されてマイクロホンからの電気信号を入力し、エコーを作るために時間的に遅延させた電気信号を生成して出力する遅延手段と、その遅延手段からの電気信号と前記マイクロホンからの電気信号の加算加工を行うミキサ手段と、前記マイクロホンと前記遅延手段の間又は前記遅延手段と前記ミキサ手段の間に介在され、前記マイクロホンの側から入力されて来る電気信号を遮断するミュート手段と、前記ミキサ手段の後段に接続され、そのミキサ手段からの電気信号を所望のレベルに増幅する増幅手段と、その増幅手段の後段に接続され、その増幅手段からの電気信号を音声に変換して出力するスピーカが備えられ、
加えて、上記マイクロホンの後段に接続され、そのマイクロホンからの電気信号のレベルを検出するレベル検出器と、そのレベル検出器の後段に接続され、そのレベル検出器の検出結果が予め設定した値より大きい場合には、上記ミュート手段に、上記遅延手段から上記ミキサ手段への電気信号の出力を遮断させるように制御を行う制御手段が備えられてなる音声信号増幅装置である。
【００１３】
ここで、マイクロホンが拾う音声に係る電気信号のレベルを検出することとは、元になる音声に係る初期の電気信号とそれに対して遅延させた電気信号をミックスさせて得られる電気信号を音声に変換して出力させた際に、そのエコーの掛かった音声が反射して再びマイクロホンに拾われて増幅されると、その再びマイクロホンに拾われた音声の成分だけマイクロホンで拾われる音声のみに係る電気信号よりも高い電気信号のレベルが得られることになり、このレベルの発振がハウリングの発生の原因となり得るので、ハウリングの発生の原因となり得る電気信号の増幅が行われているか否かを実質的に判定することを意味する。
【００１４】
ミュート手段に電気信号の遮断を行わせるか否かの制御の判別に用いられる予め設定した値とは、マイクロホンが音声を入力して電気信号に変換して出力する際の電気信号に対応するレベルの１００〜１０２％が挙げられる。
ここで、マイクロホンが音声を入力して電気信号に変換して出力する際の電気信号に対応するレベルとは、検出の対象となる電気信号はそのレベルを正確に検出するために増幅して取り扱う場合があり、斯かる場合においてはマイクロホンからの電気信号のレベルに準じていることを意味している。
【００１５】
尚、マイクロホンからの電気信号に対応するレベルの最大値が１０２％であるとは、経験上、スピーカから帰還されてマイクに拾われて電気信号として出力される場合においても、歌唱者等にとって気にならない程度を示すレベルの範囲を意味する。
又、斯かる構成の音声信号増幅装置は、ハウリング現象を回避するためにミュート手段が遅延手段への電気信号の出力を遮断させた後では、マイクロホンからの電気信号のレベルはハウリング現象の生じることのない元の値に戻るので、ミュート手段に遅延手段への電気信号の出力の遮断を解除させるように制御手段が制御を行う機能を付加した構成が挙げられる。
【発明の効果】
【００１６】
この発明は、基になる音声にエコー部分を付加するための構成が簡便であって、且つ、エコーによるハウリングが生じる可能性が高い場合にそのハウリングが生じることを回避させることを電気信号のレベルの検出に基づいて自動的に行うように構成したことによって、製造時や使用時等において煩雑な調整を必要としない取り扱いの簡便で、ハウリングの発生を回避し易いエコー付加機能を有する電気信号増幅装置である。
【発明を実施するための最良の形態】
【００１７】
この発明を、図面に示す最良の形態に基づき説明する。しかし、この形態によって、この発明が限定されるものではない。
音声信号増幅装置１は、図面に示すように、演奏信号出力手段２と、マイクロホン３と、増幅手段４と、ミュート手段５と、Ａ／Ｄ変換器６と、遅延手段７と、Ｄ／Ａ変換器８と、Ａ／Ｄ変換器９と、レベル検出器１０と、制御手段１１と、操作手段１２と、表示手段１３と、ミキサ手段１４と、ミキサ手段１５と、増幅手段１６及びスピーカ１７が備えられている。
【００１８】
演奏信号出力手段２は、所望の記録媒体（図示省略）を再生することによって、歌唱者に対してバック演奏用のアナログの電気信号を出力するものであり、所謂カラオケ演奏と呼ばれている音声を生成する電気信号を出力するものである。
よって、演奏信号出力手段２を出力させると、結果的に、スピーカ１７からバック演奏の音声の出力を得ることが可能になる。
尚、記録媒体としては、具体的に、ＣＤ、ＭＤ、磁気テープ等が挙げられ、それぞれに対応する再生手段によって再生されるものである。
【００１９】
マイクロホン３は、カラオケ歌唱を行う歌唱者の音声が入力されると、その音声を電気信号に変換して出力するものである。
増幅手段４は、通常マイクアンプと呼ばれているものであって、マイクロホン３の後段に接続されてマイクロホン３からの電気信号を所定のレベルに増幅するものである。
【００２０】
ミュート手段５は、 ＯＮの状態つまり機能の状態では、マイクロホン３から出力され増幅手段４を介して入力されて来る電気信号を遮断するものである。他方、ミュート手段５がＯＦＦの状態つまり機能解除の状態では、マイクロホン３から出力され増幅手段４を介して入力されて来る電気信号を通過させるように機能するものである。
Ａ／Ｄ変換器６は、ミュート手段５からのアナログの電気信号をディジタルの電気信号に変換して出力するものである。
【００２１】
遅延手段７は、マイクロホン３からの歌唱者の音声に係るディジタルの電気信号を入力すると、エコーを作るために、入力の時刻（初期の時刻）に対して時間的に遅延させた電気信号を出力するものである。
遅延手段７は、具体的には、入力して来る音声に係る初期の時刻の電気信号に対して１２９ミリ秒〜２５１ミリ秒の間で遅延させて出力するように構成されている。
【００２２】
尚、この遅延時間は、操作手段１２のエコーディレイ機能を操作すると制御手段１１が対応して設定する構成になっている。
又、遅延手段７は、入力初期の電気信号に対して複数の遅延信号が出力可能、つまり、一定の間隔（遅延時間）で第１波の遅延の電気信号、第２波の遅延の電気信号、第３波の遅延の電気信号、・・・を出力することが可能な構成になっている。
【００２３】
更に、遅延手段７は、第１波の遅延の電気信号、第２波の遅延の電気信号、第３波の遅延の電気信号、・・・の順に次の電気信号を減衰させて出力することが調節可能な構成になっている。
ここで、遅延手段７から連続的に出力される複数の遅延の電気信号は、次の電気信号において最大で−１２ｄＢ〜−３ｄＢの範囲で減衰量を可変可能に構成されている。
【００２４】
Ｄ／Ａ変換器８は、遅延手段７からのデジタルの遅延された電気信号を入力してアナログの電気信号に変換し、ミキサ手段１４に出力するものである。
Ａ／Ｄ変換器９は、増幅手段４からアナログの電気信号を入力してデジタルの電気信号に変換し、レベル検出器１０に出力するものである。
【００２５】
レベル検出器１０は、増幅手段４からの音声に係る電気信号のレベル、つまり、結果的にはマイクロホン３が集音して拾った歌唱者の歌唱の音声に対応したレベルを検出し、ここで得られたレベル（値）を制御手段１１に送るものである。
ここで、マイクロホン３の後段に位置する増幅手段４からの音声に係る電気信号は、レベル検出器１０にも入力されるが、遅延手段７の側にも入力される。従って、レベル検出器１０の入力信号のレベルの検出は、遅延手段７への電気信号のレベルをも検出することになる。
【００２６】
制御手段１１は、レベル検出器１０の検出の値（レベル）が予め設定した値より大きいと判断すると、ミュート手段５において増幅手段４からＡ／Ｄ変換器６への電気信号の流れを停止するように、ミュート手段５にＯＮとなる制御信号を送るものである。
ここで、予め設定した値について説明する。つまり、マイクロホン３が集音した歌唱者の音声に係る電気信号に変換して出力する際、その電気信号のレベルの値は具体的に３ｍＶに設定されている。尚、この値は、この装置を使用する環境例えばカラオケルームの広さ、カラオケ歌唱を行う者の所望により１〜１４０ｍＶの範囲で任意に選択可能な構成になっている。
【００２７】
マイクロホン３からの電気信号のレベルが３ｍＶである場合には、増幅手段４で増幅されてミキサ１４，ミュート手段５及びＡ／Ｄ変換器９へ出力される電気信号のレベルは、２１０ｍＶになっている。
ここで、Ａ／Ｄ変換器９が入力された電気信号はデジタルの電気信号に変換されてレベル検出器１０に送られ、レベル検出器１０はそのレベルの値を制御手段１１に送ることになるが、制御手段１１においての比較判別を正確・厳密に行い得るように３０００ｍＶに増幅して制御手段１１に送る構成になっている。
つまり、制御手段１１でのマイクロホン３からの電気信号のレベルの判別は、実質的なレベルの判別を行っている。
【００２８】
尚、レベル検出器１０と制御手段１１の間には、斯かる増幅を行うアンプ手段が介在されているが、図面では省略されている。又、斯かる増幅機能を行うアンプ手段は、Ａ／Ｄ変換器９の全段に接続される構成であってもよい。
従って、制御手段１１は、レベル検出器１０の側からの電気信号のレベルを検出する際には、理論的には、前記の３０００ｍＶより大きいか否かによってスピーカ１７からの音声が再びマイクロホン３によって拾われて結果的に信号のレベルの値を大きくしているか否かを比較判別することになる。
【００２９】
しかし、スピーカ１７からの反射の音声をマイクロホン３が拾って再び音声信号で出力することは常にとってよいほど大いに考えられ、問題は、ハウリングが生じることによって歌唱者やその回りの者にとって不愉快に感じる程度以下であればよいということであって、音声信号増幅装置１では経験上許容の範囲の２％だけ大きい値、つまり、３０６０ｍＶを予め設定した値としている。
【００３０】
但し、この装置を使用する環境等によって、ハウリングの生じる可能性もハウリングが生じた際のその程度も変化し、又、カラオケ歌唱を行う者及びそこに居合わせた者にとってのハウリングへの知覚程度が個別的に大いに異なるから、この余裕を示す２％という値も操作手段１２から任意に設定可能な構成になっている。
尚、ここで言うハウリングが生じて不愉快を感じるとは、マイクロホン３、スピーカ１７等を含む装置全体の置かれている環境が使用中に変化することによって、つまり、例えば歌唱者が移動することによって、スピーカ１７、音声反射物、歌唱者の持っているマイクロホン３の相対的な位置関係が変化することになり、途中からハウリングが生じない状態に変化することに対して余裕を持たせていてもハウリングが強く作用する程度であることを意味する。
【００３１】
他方、ハウリングの発生を極力避けた状態を望む場合には、レベル検出器１０の検出結果に対する制御手段１１の判別の値をより低くするように設定すればよい。
制御手段１１は、操作手段１２からの入力内容に基づいて、遅延手段７に、増幅手段４からミキサ手段１４に流れる基の電気信号に対してどの程度遅延をさせるか？、一の電気信号に対して複数の遅延信号を生成して出力する場合にいくつの遅延信号を生成させるか？、基の電気信号に対して遅延の電気信号の減衰量はいくらか？、を設定するための制御信号を送る。
【００３２】
更に、制御手段１１は、諸機能の現状を表示するように、表示手段１３に表示内容のドライブ信号を出力するものである。
表示手段１３は、諸機能の現状を表示するものである。
ミキサ手段１４は、増幅手段４からの基の電気信号と、Ｄ／Ａ変換器８を介しての遅延手段７からの遅延された電気信号を加算加工、所謂ミックスして、基の電気信号に係る音声に対してエコーとなる音声の元になる電気信号を加えるものである。
【００３３】
ミキサ手段１５は、ミキサ手段１４からのエコー成分が付加された音声に係る電気信号と演奏信号出力手段２からの歌唱のバック演奏に係る電気信号を加算加工し、増幅手段１６に送るものである。
増幅手段１６は、ミキサ手段１５からの遅延を含む音声とバック演奏に係る電気信号を入力して所定のレベルに増幅し、スピーカ１７に送るものである。
スピーカ１７は、増幅手段１６からの電気信号を入力して音声に変換して出力するものである。
【００３４】
音声信号増幅装置１は、上述したように構成されている。以下において、その機能を説明する。
使用者つまりカラオケの歌唱者は、操作手段１２から装置全体の主電源をＯＮにする。続いて、所望のエコー状態を得るように、操作手段１２から制御手段１１を介して遅延手段７に、増幅手段４からの初期の信号に対してどの程度の時間遅延をさせるか、遅延信号の出力の回数を設定するための信号を出力する。
この時、カラオケ歌唱者は、表示手段１３からその設定内容を確認することができる。
【００３５】
ここで、カラオケ歌唱者は、マイクロホン３を持ってスタンバイ状態とし、演奏信号出力手段２を操作して所望のバック演奏（カラオケ演奏）を出力させる。
この時、演奏信号出力手段２からのバック演奏に係る電気信号はアナログの信号であって、ミキサ手段１５に送られ、更に、増幅手段１６で所望の値に増幅されてスピーカ１７に送られ、スピーカ１７から音声となってバック演奏が出力される。
【００３６】
歌唱者は、演奏信号出力手段２からバック演奏が流れると、スピーカ１７からの前記バック演奏に合わせて歌唱（カラオケ歌唱）を始める。
ここで、マイクロホン３は、歌唱者から歌唱音声を拾って電気信号に変換し、増幅手段４に送る。
増幅手段４は、その歌唱に係る電気信号をミキサ手段１４、ミュート手段５及びＡ／Ｄ変換器９に送る。
【００３７】
ミキサ手段１４は、増幅手段４からの初期の歌唱音声に係るアナログの電気信号を入力する。
他方、ミュート手段５は、増幅手段４からの初期の歌唱音声に係るアナログの電気信号を受けるが、制御手段１１はミュート手段５にＯＮの制御信号を送っていないので、そのまま通過されてＡ／Ｄ変換器６に送る。
【００３８】
更に、Ａ／Ｄ変換器９は、増幅手段４からの初期の歌唱音声に係るアナログの電気信号を受けると、デジタルの電気信号に変換してレベル検出器１０に送る。
ここで、レベル検出器１０は、Ａ／Ｄ変換器９からの電気信号のレベルを検出し、その検出結果（レベルの値）を制御手段１１に送る。
【００３９】
制御手段１１は、レベル検出器１０からの検出結果が予め設定した値（３０６０ｍＶ）よりも大きいか否かを判別し、その予め設定した値に至っていない場合にはミュート手段５には何の信号も送ることはない。
尚、ここでは装置が作動の初期の状態なので、装置全体が正常に機能していると、ハウリングの原因となるスピーカ１７からの音声が出力されることがないので、レベル検出器１０の検出値は予め設定した値より大きい場合は生じない。
又、初期の状態のミュート手段５は、遮断機能が解除、つまり、増幅手段４からの電気信号をそのまま通過させてＡ／Ｄ変換器６に送るように機能する。
【００４０】
従って、増幅手段４からミュート手段５に流れた音声に係るアナログの電気信号は、Ａ／Ｄ変換器６でデジタルの電気信号に変換され、遅延手段７に送られる。
遅延手段７は、Ａ／Ｄ変換器６からのデジタルの電気信号を入力すると、マイクロホン３から出力される初期の信号、つまり、実質的にミキサ手段１４が増幅手段４から入力する電気信号に対して、操作手段１２によって設定した時間だけ遅延させ且つ設定した回数の遅延信号（デジタル信号）を生成し、Ｄ／Ａ変換器８に送る。
【００４１】
Ｄ／Ａ変換器８は、遅延手段７からの前記デジタルの遅延信号を入力するとアナログの遅延信号に変換し、ミキサ手段１４に送る。
ここで、ミキサ手段１４は、マイクロホン３によって拾われて音声から電気信号に変換されていることを共通としていながら、増幅手段４からの初期のアナログの電気信号とＤ／Ａ変換器８からの遅延されたアナログの電気信号を加算加工（ミックス）して、ミキサ手段１５に送る。
【００４２】
ミキサ手段１５は、ミキサ手段１４からの、歌唱音声に係る加算加工されたアナログの電気信号と演奏信号出力手段２のバック演奏用のアナログの電気信号を加算加工（ミックス）し、増幅手段１６に送る。
増幅手段１６は、ミキサ手段１５からの加算加工されたアナログの電気信号を受け取ると、所定のレベルに増幅し、スピーカ１７に送る。
【００４３】
スピーカ１７は、増幅手段１６からのアナログの電気信号を受け取ると、音声に変換して出力する。
ここで、スピーカ１７は、マイクロホン３からのカラオケ歌唱者の歌唱とこの歌唱に対して遅延させてエコーを構成し得る歌唱に係る音声、及び、演奏信号出力手段２からのバック演奏に係る音声を出力している。  
【００４４】
このスピーカ１７が音声を出力している際に、その音声の一部が部屋の壁や天井等に当たって反射し、その反射による音声がマイクロホン３によって拾われる場合がある。
ここで、マイクロホン３は、反射して入って来た音声（以下、「反射による音声」と称する）を拾うと、カラオケ歌唱に係る音声と共にアナログの電気信号に変換して増幅手段４に送る。
増幅手段４は、反射による音声及びカラオケ歌唱に係る電気信号を所定通りに増幅し、ミュート手段５、Ａ／Ｄ変換器９及びミキサ手段１４に送る。
【００４５】
Ａ／Ｄ変換器９は、反射による音声及びカラオケ歌唱に係るアナログの電気信号をデジタルの電気信号に変換してレベル検出器１０に送る。
ここで、レベル検出器１０は、反射による音声及びカラオケ歌唱に係るデジタルの電気信号のレベルを検出し、その値を制御手段１１に送る。
制御手段１１は、レベル検出器１０からの反射による音声及びカラオケ歌唱に係るデジタルの電気信号のレベルの値と予め設定している値を比較の判別を行う。
【００４６】
ここで、反射による音声、つまり、スピーカ１７から出力され反射されて結果的にマイクロホン３によって拾われる音声が十分に小さい音声である場合には、その反射による音声に係る電気信号のレベルは、マイクロホン３によって一緒に拾われたカラオケ歌唱に係る電気信号のレベルの値に比して十分に低い場合となり、制御手段１１はレベル検出器１０からのレベルの値は予め設定した値よりも小さいと判別し、ミュート手段５にＯＮを出力させるための制御信号を送ることはない。
【００４７】
従って、ミュート手段５は、増幅手段４からの反射による音声及びカラオケ歌唱に係るアナログの電気信号をＡ／Ｄ変換器６に送り、Ａ／Ｄ変換器６はミュート手段５からの前記アナログの電気信号を反射による音声及びカラオケ歌唱に係るデジタルの電気信号に変換して遅延手段７に送る。
ここで、遅延遮断７は、増幅手段４から出力された際の初期の時刻に対して設定された時間分だけ遅延された電気信号を生成し、Ｄ／Ａ変換器８に出力する。
Ｄ／Ａ変換器８は、遅延手段７からのデジタルの電気信号を受けると、反射による音声及びカラオケ歌唱に係るアナログの電気信号に変換してミキサ手段１４に送る。
【００４８】
ミキサ手段１４においては、増幅手段４から初期の時刻で出力された反射による音声及びカラオケ歌唱に係るアナログの電気信号を入力すると共に、Ｄ／Ａ変換器８からの前記初期の時刻に対して設定した時間だけ遅延された反射による音声及びカラオケ歌唱に係るアナログの電気信号が入力されて、それら二つのアナログの電気信号は加算加工されてミキサ手段１５に送られる。
この時、このミキサ手段１４の加算加工によって、反射による音声及びカラオケ歌唱に遅延手段７の設定遅延時間だけ遅延している反射による音声及びカラオケ歌唱が加えられた音声を示す電気信号、つまり、初期時刻の反射による音声及びカラオケ歌唱に設定時間だけ遅延してエコー効果を与える音声に係るアナログの電気信号をミキサ手段１５に送ることになる。
【００４９】
ミキサ手段１５は、ミキサ手段１４の斯かるアナログの電気信号を受け取ると共に、演奏信号出力手段２からのバック演奏に係るアナログの電気信号を受け取り、その二つのアナログ信号を加算加工して増幅手段１６に送る。
この時、このミキサ手段１５の加算加工によって、初期時刻の反射による音声及びカラオケ歌唱に設定した時間だけ遅延してエコー効果を与える音声にバック演奏が付加された音声に係るアナログの電気信号が増幅手段１６に送られることになる。
【００５０】
増幅手段１６は、ミキサ手段１５からの上記音声に係るアナログの電気信号を所定通りに増幅してスピーカ１７に送る。
スピーカ１７は、増幅手段１６からの音声に係る増幅されたアナログの電気信号を音声に変換して出力する。
【００５１】
ここで、歌唱者及びそこに居合わせた者は、スピーカ１７からマイクロホン１３で拾われた音声、その音声に対して遅延されてエコー部分となっている音声及び演奏信号出力手段２からのバック演奏を聞くことになる。
この時、スピーカ１７からは前述した反射による音声及びそれに係るエコー部分の音声も一緒に出力されるが、歌唱者がマイクロホン３に発した音声及び演奏信号出力手段２からのバック演奏の音声に比して無視できるほどに小さいので、気になることはない。
【００５２】
他方、マイクロホン３によって拾われる反射による音声のある一定値以上のレベルである場合には、その反射による音声に係る電気信号のレベルは、マイクロホン３によって一緒に拾われたカラオケ歌唱の音声に係る電気信号のレベルの値に比して意味のあるレベルということになる。
ここで、マイクロホン３は、カラオケ音声及び反射による音声を電気信号に変換して増幅手段４に送る。
【００５３】
増幅手段４は、反射による音声及びカラオケ歌唱の音声に係る電気信号を所定通りに増幅し、ミュート手段５、Ａ／Ｄ変換器９及びミキサ手段１４に送る。
Ａ／Ｄ変換器９は、反射による音声及びカラオケ歌唱の音声に係るアナログの電気信号をデジタルの電気信号に変換してレベル検出器１０に送る。
【００５４】
ここで、レベル検出器１０は、反射による音声及びカラオケ歌唱の音声に係るデジタルの電気信号のレベルを検出し、その値を制御手段１１に送る。
この時、レベル検出器１０は、Ａ／Ｄ変換器９を介した増幅手段４からの音声に係る電気信号について例えば３０８０ｍＶという値のレベルを検出し、その値を制御手段１１に送る。
【００５５】
制御手段１１は、レベル検出器１０からの反射による音声及びカラオケ歌唱の音声に係る電気信号の値が３０８０ｍＶであるレベルと予め設定している値（３０６０ｍＶ）を比較して大小関係の判別を行う。
ここで、レベル検出器１０で検出されたレベルの値が予め設定した値よりも大きいと制御手段１１が判別し、ミュート手段５にＯＮを出力させるための制御信号を送る。
従って、ミュート手段５は制御手段１１からの制御信号に基づいて手段の状態に切り替わり、増幅手段４からの反射による音声及びカラオケ歌唱に係るアナログの電気信号をＡ／Ｄ変換器６に送ることを停止する。
【００５６】
よって、増幅手段４からの反射による音声及びカラオケ歌唱に係るアナログの電気信号がミュート手段５からＡ／Ｄ変換器６に送られないから、Ａ／Ｄ変換器６から前記反射による音声及びカラオケ歌唱に係るデジタルの電気信号が遅延手段７に送られることはない。
ここで、遅延回路７は、Ａ／Ｄ変換器６からの電気信号の入力がないないので、初期の時刻に対して設定された時間分だけ遅延された電気信号を生成することがなく、Ｄ／Ａ変換器８にエコーを構成するための電気信号を出力することがない。
【００５７】
Ｄ／Ａ変換器８は、この遅延手段７の斯かる動作に対応して、エコーを構成するためのアナログの電気信号にミキサ手段１４に送ることはない。
ミキサ手段１４は、増幅手段４から初期の時刻で出力された反射による音声及びカラオケ歌唱に係るアナログの電気信号のみが入力され、そのアナログの電気信号のみをミキサ手段１５に送る。
【００５８】
ミキサ手段１５は、ミキサ手段１４からのアナログの電気信号を受け取ると共に、演奏信号出力手段２からのバック演奏に係るアナログの電気信号を受け取り、その二つのアナログ信号を加算加工して増幅手段１６に送る。
この時、このミキサ手段１５の加算加工によって、カラオケ歌唱の音声にバック演奏が付加された音声に係るアナログの電気信号が増幅手段１６に送られことになる。
【００５９】
増幅手段１６は、ミキサ手段１５からの上記音声に係るアナログの電気信号を所定通りに増幅してスピーカ１７に送る。
スピーカ１７は、増幅手段１６からの音声に係る増幅されたアナログの電気信号を音声に変換して出力する。
【００６０】
ここで、歌唱者及びそこに居合わせた者は、演奏信号出力手段２からのバック演奏に合わせてカラオケ歌唱者がマイクロホン１３に向かって発した音声の拡声された音声をスピーカ１７から聞くことになる。
この時、スピーカ１７からは前述した反射による音声及びそれに係るエコー部分の音声を出力しないから、ハウリングが生じるということはない。よって、歌唱者及びその場に居合わせた者は、本来であれば生じる可能性の極めて高いハウリングのない状態でカラオケ歌謡を楽しみ続けることが可能になる。
【００６１】
ここで、前述したように、スピーカ１７からの音声が反射されることなどによってマイクロホン３に拾われることが考えられる。
しかしながら、この時スピーカ１７から出力されている音声はエコー部分を含んでおらず、つまり、スピーカ１７は遅延した同じ音声を繰り返して出力することがないから、同じ音声がマイクロホン３に拾われて結果的にハウリングが生じるという可能性は大変に低い状態になっている。
【００６２】
他方、スピーカ１７からの音声にエコーが付加されていると、そのエコーの回数分だけ同じ音声が出力され、その同じ音声の出力の回数分だけマイクロホンが同じ音声を拾う可能性が高くなり、結果的に、エコーによって同じ音声が繰り返されて出力される回数に対応してハウリングの生じる虞が多いことになる。
ここで、この装置の使用環境が変化して、マイクロホン３にスピーカ１７からの音声が全く入力されない或いは入力されても無視できるレベルの状態に戻ると、その時のマイクロホン３が音声を拾って変換して出力する電気信号のレベルが、結果的に、レベル検出器１０で検出され、制御手段１１で予め設定した値と比較判別されることになる。
【００６３】
続いて、制御手段１１が、その時の電気信号のレベルの値が予め設定した値よりも小さいと判別すると、ミュート手段５に遮断機能を解除するための制御信号（ＯＦＦ信号）を送る。
【００６４】
ミュート手段５は、制御手段１１からのＯＦＦ信号を受けて遮断機能を解除し、増幅手段４からのカラオケ歌唱音声に係るアナログの電気信号を通過させて、Ａ／Ｄ変換器６に送る。
従って、結果的に、ミキサ手段１４には、この時の増幅手段４からの初期の音声に係る電気信号とこの初期の信号に対して設定された時間だけ遅延された音声に係る電気信号が入力されて加算加工が行われ、最終的には、スピーカ１７から演奏信号出力手段２に基づくバック演奏に対してエコーの付加されたカラオケ歌唱の音声が出力されることになる。  つまり、カラオケ歌唱の音声にエコーが付加された状態に復帰することになる。
【００６５】
音声信号増幅装置１では、演奏信号出力手段２は記録媒体を再生することによって音声（バック演奏）に係る電気信号を出力する構成であるが、電話回線を介して音声に係る電気信号を供給する構成、いわゆる通信カラオケであってもよい。
音声信号増幅装置１では、歌唱者の歌唱音声を拾って電気信号に変換するマイクロホン３は唯一本のみを有する構成になっているが、二本以上のマイクロホン３を備えた構成でもよい。
【００６６】
ここで、二本以上のマイクロホン３を含んだ構成では、その下段に接続される増幅手段４は唯一つでもよく、マイクロホン３の数に対応させた数の構成であってもよい。
但し、音声信号増幅装置１は、いずれの構成であっても、マイクロホン３からの音声に係る電気信号に対して遅延した電気信号を生成して出力する遅延手段７と、マイクロホン３からの音声に係る信号のレベルを検出し、設定値より大きい場合には遅延手段７の機能を実質的に停止させるための制御手段１１及びミューズ手段５が備えられることが必要である。
【００６７】
音声信号増幅手段１では、ミュート手段５は遅延手段７の前段の側に接続されているが、遅延手段７の後段の側に接続された構成であってもよい。
つまり、斯かる構成では、遅延手段７によって遅延の電気信号が生成され出力されることになるが、ミュート手段５が機能するとその遅延の電気信号はミキサ１４に送られることが停止され、結果的に、ミキサ１４は増幅手段４からの電気信号のみをミキサ１５に送ることになる。
よって、斯かる構成においても、スピーカ１７からハウリングの原因となる同じ音声の連続的な出力が行われないから、その分、ハウリングの生じる虞が少なくなっている。
【図面の簡単な説明】
【００６８】
【図１】この発明の最良の実施の一形態の構成を説明するブロック図である。
【符号の説明】
【００６９】
１          ：音声信号増幅装値
２          ：演奏信号出力手段
３          ：マイクロホン
４          ：増幅手段
５          ：ミュート手段
７          ：遅延手段
１０        ：レベル検出器
１１        ：制御手段
１４，１５  ：ミキサ手段
１７        ：スピーカ
【図１】
2007194985.tif 000003